(57)【要約】【課題】搬送される媒体の画像を読み取る画像読取装置において、画像読取後の媒体のスタック性を高める。【解決手段】スキャナー１は、搬送される媒体Ｐを読み取る読取部２０と、読取部２０で読み取られた媒体Ｐを、第１ローラー２１と第２ローラー２２とでニップして排出する排出ローラー対１７と、媒体搬送方向において排出ローラー対１７と重なる位置に配置され、第１ローラー２１及び第２ローラー２２のうち、第１ローラー２１側から第２ローラー２２側に突出するリブ２３であって、排出ローラー対１７に対して媒体搬送方向と交差する幅方向の一方側に位置する第１リブ２３ａと、排出ローラー対１７に対して幅方向において第１リブ２３ａの反対側に位置する第２リブ２３ｂとを備える。【選択図】図３
2020019594.tif 000002
【特許請求の範囲】
【請求項１】
搬送される媒体を読み取る読取部と、
前記読取部で読み取られた前記媒体を、第１ローラーと第２ローラーとでニップして排出する排出ローラー対と、
媒体搬送方向において前記排出ローラー対と重なる位置に配置され、前記第１ローラー及び前記第２ローラーのうち、一方のローラー側から他方のローラー側に突出するリブであって、前記排出ローラー対に対して媒体搬送方向と交差する幅方向の一方側に位置する第１リブと、前記排出ローラー対に対して前記幅方向において前記第１リブの反対側に位置する第２リブと、を備える
ことを特徴とする画像読取装置。
【請求項２】
請求項１に記載の画像読取装置において、
前記排出ローラー対は、第１の排出ローラー対と、前記第１の排出ローラー対に対して前記幅方向に間隔を空けて設けられる第２の排出ローラー対と、を備えて成り、
前記第１リブ及び前記第２リブは、前記第１の排出ローラー対及び前記第２の排出ローラー対の双方を挟むように配置される、
ことを特徴とする画像読取装置。
【請求項３】
請求項２に記載の画像読取装置において、
前記第１の排出ローラー対と前記第２の排出ローラー対との間に、前記第１リブ及び前記第２リブの突出方向とは逆向きに突出する第３リブを備える、
ことを特徴とする画像読取装置。
【請求項４】
請求項１から請求項３のいずれか一項に記載の画像読取装置において、
前記第１リブ及び前記第２リブは、前記第１ローラーの回転軸及び前記第２ローラーの回転軸のいずれか一方に設けられる、
ことを特徴とする画像読取装置。
【請求項５】
請求項１から請求項４のいずれか一項に記載の画像読取装置において、
前記第１リブ及び前記第２リブは、第１状態と、前記第１状態よりも媒体搬送経路から退避した第２状態と、の間で変位可能に構成される、ことを特徴とする画像読取装置。
【請求項６】
請求項５に記載の画像読取装置において、
前記第１リブ及び前記第２リブの変位を制御する制御部を備え、
前記制御部は、前記媒体の剛性に応じて前記第１リブ及び前記第２リブを制御する、
ことを特徴とする画像読取装置。
【請求項７】
請求項６に記載の画像読取装置において、
前記読取部の上流に設けられ、超音波を発信する送信部及び、前記送信部から発信された超音波を受信して、受信した前記超音波に応じた出力値を出力する受信部と、を備えて構成される媒体検出部を備え、
前記制御部は、前記媒体検出部による検出結果に基づいて、前記第１リブ及び前記第２リブを制御する、
ことを特徴とする画像読取装置。
【請求項８】
請求項６または請求項７に記載の画像読取装置において、
前記制御部は、前記読取部による読み取り結果に基づいて、前記第１リブ及び前記第２リブを制御する、
ことを特徴とする画像読取装置。
【発明の詳細な説明】
【技術分野】
【０００１】
本発明は、画像を読み取る画像読取装置に関する。
【背景技術】
【０００２】
画像読取装置の一例であるスキャナーには、原稿の自動送り装置が設けられ、複数枚の原稿の自動送りと読み込みとを行える様に構成されるものがある。自動送り装置はＡＤＦ（Ａｕｔｏ  Ｄｏｃｕｍｅｎｔ  Ｆｅｅｄｅｒ）と呼ばれることがある。  
送られた複数枚の原稿は、自動送り装置の搬送方向下流に設けられる読取部において読み取られる。
【０００３】
また、このようなスキャナーにおいて、読取部の下流に排出ローラーが設けられ、原稿が装置外部に排出されるとともに、排出順に積重されるように構成される場合がある。このような構成のスキャナーの一例としては、特許文献１が挙げられる。
【先行技術文献】
【特許文献】
【０００４】
【特許文献１】特開２０１１−０４３７３２号公報
【発明の概要】
【発明が解決しようとする課題】
【０００５】
ここで、排出ローラーによって排出された原稿がカールする場合がある。画像読取装置において複数枚の原稿を読み取る場合に、先に読み取られた原稿がカールした状態で排出されると、後続の原稿が詰まる不具合や、排出された原稿が整然と積載されない状態になり、スタック性が低下する不具合が生じる場合があった。  
特に、原稿が、厚みが薄く剛性が低い媒体や、元々折り目や畳み皺等が形成されている媒体である場合に、このような不具合が生じ易かった。
【０００６】
特許文献１には、排出ローラーによる排出速度を低速にすることにより、スタック性が向上することが開示されている。しかし、排出速度を遅くするだけでは、カールし易い媒体に対応できない場合があった。
【課題を解決するための手段】
【０００７】
上記課題を解決する本発明の画像読取装置は、搬送される媒体を読み取る読取部と、前記読取部で読み取られた前記媒体を、第１ローラーと第２ローラーとでニップして排出する排出ローラー対と、媒体搬送方向において前記排出ローラー対と重なる位置に配置され、前記第１ローラー及び前記第２ローラーのうち、一方のローラー側から他方のローラー側に突出するリブであって、前記排出ローラー対に対して媒体搬送方向と交差する幅方向の一方側に位置する第１リブと、前記排出ローラー対に対して前記幅方向において前記第１リブの反対側に位置する第２リブと、を備えることを特徴とする。
【図面の簡単な説明】
【０００８】
【図１】第１実施形態に係るスキャナーを示す外観斜視図。
【図２】第１実施形態に係るスキャナーにおける媒体搬送経路を示す側断面図。
【図３】排出ローラー対周辺の概略側断面図。
【図４】図３のＡ−Ａ矢視断面図。
【図５】排出ローラー対によって排出される媒体の姿勢について説明する図。
【図６】変位手段について説明する図。
【図７】媒体検出部による検出結果に基づく制御について説明するフローチャート。
【図８】読取部による読み取り結果に基づく制御について説明するフローチャート。
【図９】第２実施形態に係るリブについて説明する図。
【図１０】第２実施形態の変更例について説明する図。
【図１１】第３実施形態に係るリブについて説明する図。
【発明を実施するための形態】
【０００９】
以下、本発明について概略的に説明する。  
本発明の第１の態様に係る画像読取装置は、搬送される媒体を読み取る読取部と、前記読取部で読み取られた前記媒体を、第１ローラーと第２ローラーとでニップして排出する排出ローラー対と、媒体搬送方向において前記排出ローラー対と重なる位置に配置され、前記第１ローラー及び前記第２ローラーのうち、一方のローラー側から他方のローラー側に突出するリブであって、前記排出ローラー対に対して媒体搬送方向と交差する幅方向の一方側に位置する第１リブと、前記排出ローラー対に対して前記幅方向において前記第１リブの反対側に位置する第２リブと、を備えることを特徴とする。
【００１０】
本態様によれば、搬送される媒体を読み取る読取部と、前記読取部で読み取られた前記媒体を、第１ローラーと第２ローラーとでニップして排出する排出ローラー対と、媒体搬送方向において前記排出ローラー対と重なる位置に配置され、前記第１ローラー及び前記第２ローラーのうち、一方のローラー側から他方のローラー側に突出するリブであって、前記排出ローラー対に対して媒体搬送方向と交差する幅方向の一方側に位置する第１リブと、前記排出ローラー対に対して前記幅方向において前記第１リブの反対側に位置する第２リブと、を備えるので、前記排出ローラー対によって排出される前記媒体に、前記幅方向に波打つような山形状或いは谷形状の癖を付けることができる。媒体を山形、或いは谷形に撓ませると、媒体の剛性が高められる。排出される媒体に媒体搬送方向の剛性が付与されることにより、排出後の媒体のカールを抑え、スタック性を向上させることができる。
【００１１】
本発明の第２の態様は、第１の態様において、前記排出ローラー対は、第１の排出ローラー対と、前記第１の排出ローラー対に対して前記幅方向に間隔を空けて設けられる第２の排出ローラー対と、を備えて成り、前記第１リブ及び前記第２リブは、前記第１の排出ローラー対及び前記第２の排出ローラー対の双方を挟むように配置される、ことを特徴とする。
【００１２】
本態様によれば、前記排出ローラー対が、第１の排出ローラー対と、前記第１の排出ローラー対に対して前記幅方向に間隔を空けて設けられる第２の排出ローラー対と、を備えて成るので、媒体を安定して排出させることができるとともに、前記第１リブ及び前記第２リブは、前記第１の排出ローラー対及び前記第２の排出ローラー対の双方を挟むように配置されるので、第１の態様と同様の作用効果が得られる。
【００１３】
本発明の第３の態様は、第２の態様において、前記第１の排出ローラー対と前記第２の排出ローラー対との間に、前記第１リブ及び前記第２リブの突出方向とは逆向きに突出する第３リブを備える、ことを特徴とする。
【００１４】
本態様によれば、前記第１の排出ローラー対と前記第２の排出ローラー対との間に、前記第１リブ及び前記第２リブの突出方向とは逆向きに突出する第３リブを備えるので、前記排出ローラー対によって排出される前記媒体に対して、より効果的に前記幅方向の山形状或いは谷形状の癖を付けることができる。
【００１５】
本発明の第４の態様は、第１の態様から第３の態様のいずれかにおいて、前記第１リブ及び前記第２リブは、前記第１ローラーの回転軸及び前記第２ローラーの回転軸のいずれか一方に設けられる、ことを特徴とする。
【００１６】
本態様によれば、前記第１リブ及び前記第２リブは、前記第１ローラーの回転軸及び前記第２ローラーの回転軸のいずれか一方に設けられるので、構成簡単且つ省スペースにリブを配置することができる。
【００１７】
本発明の第５の態様は、第１の態様から第４の態様のいずれかにおいて、前記第１リブ及び前記第２リブは、第１状態と、前記第１状態よりも媒体搬送経路から退避した第２状態と、の間で変位可能に構成される、ことを特徴とする。
【００１８】
本態様によれば、前記第１リブ及び前記第２リブは、第１状態と、前記第１状態よりも媒体搬送経路から退避した第２状態と、の間で変位可能に構成されるので、前記媒体に形成される山形状或いは谷形状の撓み量を変えたり、媒体に山形状或いは谷形状を形成しない構成を選択したりすることができる。
【００１９】
本発明の第６の態様は、第５の態様において、前記第１リブ及び前記第２リブの変位を制御する制御部を備え、前記制御部は、前記媒体の剛性に応じて前記第１リブ及び前記第２リブを制御する、ことを特徴とする。
【００２０】
本態様によれば、前記制御部は、前記媒体の剛性に応じて前記第１リブ及び前記第２リブを制御するので、例えば、剛性が低く、カールする虞のある媒体が排出される場合には、前記第１リブ及び前記第２リブを第１状態にして、当該媒体に剛性を付与する山形状或いは谷形状を形成することができる。以って、剛性が低い媒体のスタック性を向上させることができる。  
また、剛性が高い媒体はカールする虞が少ない。また、剛性が高い媒体にリブが接触すると、当該媒体に傷が付く場合がある。剛性が高く、カールする虞の少ない媒体が排出される場合には、前記第１リブ及び前記第２リブを第２状態にして、前記第１リブ及び前記第２リブが当該媒体に接触することを回避することができる。
【００２１】
本発明の第７の態様は、第６の態様において、前記読取部の上流に設けられ、超音波を発信する送信部及び、前記送信部から発信された超音波を受信して、受信した前記超音波に応じた出力値を出力する受信部と、を備えて構成される媒体検出部を備え、前記制御部は、前記媒体検出部による検出結果に基づいて、前記第１リブ及び前記第２リブを制御する、ことを特徴とする。
【００２２】
本態様によれば、前記制御部は、前記媒体検出部による検出結果に基づいて、前記第１リブ及び前記第２リブを制御するので、前記第１リブ及び前記第２リブを自動で制御することができる。
【００２３】
本発明の第８の態様は、第６の態様または第７の態様において、前記制御部は、前記読取部による読み取り結果に基づいて、前記第１リブ及び前記第２リブを制御する、ことを特徴とする。
【００２４】
本態様によれば、前記制御部は、前記媒体検出部による検出結果に基づいて、前記第１リブ及び前記第２リブを制御するので、前記第１リブ及び前記第２リブを自動で制御することができる。
【００２５】
［第１実施形態］
本発明の一実施形態に係る画像読取装置の概略について、図を参照して説明する。本実施形態では画像読取装置の一例として、媒体の表面及び裏面の少なくとも一面を読み取り可能なドキュメントスキャナー１（以下、単にスキャナー１と称する）を例に挙げる。
【００２６】
尚、各図において示すＸ−Ｙ−Ｚ座標系はＸ方向が装置幅方向であり媒体幅方向、Ｙ方向が媒体搬送方向である。Ｚ方向はＹ方向と交差する方向であって、概ね搬送される媒体の面と直交する方向を示している。また、＋Ｙ方向を装置前方とし、−Ｙ方向を装置後方とする。また、装置前方から見て左側を＋Ｘ方向、右側を−Ｘ方向とする。また、＋Ｚ方向を装置上方とし、−Ｚ方向側を装置下方とする。また、媒体が給送されていく方向、すなわち、＋Ｙ方向側を「下流」といい、これと反対の方向である−Ｙ方向側を「上流」という。
【００２７】
■■■スキャナーの概要■■■
以下、図１及び図２を参照して、本発明に係るスキャナー１について説明する。  
図１に示すスキャナー１は、搬送される媒体Ｐを読み取る読取部２０（図２）を内部に備える筐体２を備えている。  
筐体２は、下部ユニット３及び上部ユニット４を備えて構成されている。上部ユニット４は下部ユニット３に対して媒体搬送方向下流を回動支点として開閉可能に取り付けられており、上部ユニット４を装置前方に回動して開き、媒体Ｐの媒体搬送経路１０（図２）を露呈させて媒体Ｐの紙詰まりの処理等を容易に行うことができる様に構成されている。
【００２８】
図１において、筐体２の装置後方である−Ｙ方向には、媒体Ｐを載置する媒体載置部１１と、媒体Ｐのエッジをガイドする第１エッジガイド１２ｂ及び第２エッジガイド１２ａとが設けられている。  
第１エッジガイド１２ｂ及び第２エッジガイド１２ａは、媒体載置部１１の載置面１１ａにセットされた媒体Ｐの幅方向（Ｘ軸方向）のエッジをガイドする、ガイド面１３ｂ及びガイド面１３ａを備えている。第１エッジガイド１２ｂ及び第２エッジガイド１２ａは、媒体Ｐのサイズに応じてＸ軸方向にスライド移動可能に設けられている。本実施形態において、第１エッジガイド１２ｂ及び第２エッジガイド１２ａは、公知のラックピニオン機構により一方のエッジガイドのＸ移動に追従して、他方のエッジガイドが相対する方向に移動するように構成されている。例えば、第１エッジガイド１２ｂを図１の状態から−Ｘ方向に移動させると、第２エッジガイド１２ａが＋Ｘ方向に移動する。  
このことによって、媒体載置部１１に載置される媒体Ｐは幅方向の中央に揃えられる。
【００２９】
図１及び図２に示す媒体載置部１１は、第１補助ペーパーサポート８及び第２補助ペーパーサポート９を備えている。第１補助ペーパーサポート８及び第２補助ペーパーサポート９は、図２に示す様に媒体載置部１１の内部に収納可能であり、且つ、図１に示す様に媒体載置部１１から引き出し可能に構成され、載置面１１ａの長さを調整可能になっている。
【００３０】
図１に示す筐体２は、上部ユニット４の装置前面に、各種読み取り設定や読み取り実行の操作を行ったり、読み取り設定内容等を表示したりする操作パネル７を備えている。  
上部ユニット４の上部には筐体２内部に連なる給送口６が設けられており、媒体載置部１１に載置される媒体Ｐは、給送口６から読取部２０（図２）に向けて送られる。  
また、下部ユニット３の装置前面には、後述する排出トレイ５が設けられている。
【００３１】
■■■スキャナーにおける媒体搬送経路について■■■
次に、主として図２を参照して、スキャナー１における媒体搬送経路１０について説明する。尚、図２において符号Ｐで示す点線は媒体搬送経路１０に沿って搬送される媒体Ｐを示している。  
媒体載置部１１の下流には、媒体載置部１１の載置面１１aに載置された媒体Ｐを読取部２０に向けて送るとしての給送ローラー１４と、給送ローラー１４との間で媒体Ｐをニップして分離する分離ローラー１５を備えている。
【００３２】
媒体載置部１１に載置された媒体Ｐは、下部ユニット３に対して回転可能に設けられた給送ローラー１４が、媒体Ｐの載置面１１ａに対向する面に接触しつつ回転することによりピックアップされる。  
上部ユニット４において給送ローラー１４と対向する位置には、分離ローラー１５が設けられている。媒体Ｐは、給送ローラー１４と分離ローラー１５とによってニップされて一枚に分離され、下流（＋Ｙ方向）に向けて給送される。  
尚、給送ローラー１４及び分離ローラー１５は、幅方向（Ｘ軸方向）の中央領域に設けられており、媒体Ｐは、センター給紙方式で給紙されるように構成されている。
【００３３】
給送ローラー１４の下流には、搬送ローラー対１６と、画像を読み取る読取部２０と、排出ローラー対１７とが設けられている。給送ローラー１４により下流に給送された媒体Ｐは、搬送ローラー対１６にニップされて、搬送ローラー対１６の下流に位置する読取部２０に搬送される。搬送ローラー対１６は、搬送駆動ローラー１６ａと搬送従動ローラー１６ｂとを備えて構成されている。
【００３４】
給送ローラー１４と読取部２０との間の媒体搬送経路１０には、媒体検出部３０が設けられている。媒体検出部３０は、超音波を発信する送信部３１、及び送信部３１から発信された超音波を受信して、受信した超音波に応じた出力値を出力する受信部３２を備えて構成されている。送信部３１と受信部３２とは、搬送経路を挟んで上側と下側に設けられている。より具体的には、送信部３１は上部ユニット４に設けられ、受信部３２は下部ユニット３に設けられている。  
本実施形態においては、媒体検出部３０において受信部３２が出力する出力値によって、搬送される媒体Ｐの重送や折り目や皺等のある媒体Ｐの検出、或いは媒体Ｐの厚みの検出を行うことができる。
【００３５】
読取部２０は、上部ユニット４に設けられた上部読取センサー２０ａと、下部ユニット３に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００３６】
媒体Ｐは、読取部２０において媒体Ｐの表面及び裏面の少なくとも一方の面の画像を読み取られた後、読取部２０の下流に位置する排出ローラー対１７にニップされて下流に送られて、筐体２の装置前面に設けられた排出口１８から排出される。  
排出ローラー対１７は、駆動ローラーである第１ローラー２１と、第１ローラー２１との間で媒体Ｐをニップする第２ローラー２２と、を備えている。第２ローラー２２は、第１ローラー２１に従動回転する従動ローラーである。
【００３７】
本実施形態において排出ローラー対１７は、図４に示すように、幅方向であるＸ軸方向に二つ設けられている。より具体的には、排出ローラー対１７は、第１の排出ローラー対１７ａと、第１の排出ローラー対１７ａに対して幅方向に間隔を空けて設けられる第２の排出ローラー対１７ｂと、を備えて成る。本実施形態においては、第１の排出ローラー対１７ａが幅方向の中央に対して＋Ｘ方向、第２の排出ローラー対１７ｂが幅方向の中央に対して−Ｘ方向に配置されている。  
第１の排出ローラー対１７ａは、第１ローラー２１ａと第２ローラー２２ａを備えている。第２の排出ローラー対１７ｂは、第１ローラー２１ｂと第２ローラー２２ｂを備えている。図４において、符号２５は第１ローラー２１ａ、２１ｂの回転軸としての第１回転軸２５である。符号２６は第２ローラー２２ａ、２２ｂの回転軸としての第２回転軸２６である。  
このように、幅方向に間隔を空けて配置される二つのローラー対によって媒体Ｐを送るので、媒体Ｐの安定した排出を実現できる。  
尚、排出ローラー対１７の他、給送ローラー１４及び搬送ローラー対１６も、幅方向に間隔を空けて二つ配置さすることができる。
【００３８】
本実施形態において給送ローラー１４、搬送駆動ローラー１６ａ、及び第１ローラー２１は、下部ユニット３内に設けられる少なくとも１つの駆動源（不図示）により回転駆動される。また、分離ローラー１５は、不図示の駆動源により、媒体Ｐを給送する回転方向とは逆の逆回転方向、すなわち、図２を正面視して反時計回りに回転駆動可能にすることができる。駆動源は、図２に示す制御部１９により制御され、以って、各ローラーによる媒体Ｐの搬送が制御される。
【００３９】
下部ユニット３には、排出口１８から装置前方に引き出し可能に構成された排出トレイ５が設けられている。排出トレイ５は、下部ユニット３の底部に収納された状態（図１）と、図示を省略する装置前方に引き出した状態とを取り得る。排出トレイ５を引き出した状態において、排出口１８から排出された媒体Ｐを排出トレイ５上に積載することができる。
【００４０】
ここで、図２に示すように、媒体搬送方向であるＹ軸方向において排出ローラー対１７と重なる位置には、リブ２３が設けられている。本発明の特徴部分であるリブ２３について、以下に詳しく説明する。
【００４１】
■■■リブについて■■■
図３−図６を参照して、リブ２３について説明する。  
図３に示すように、リブ２３は、媒体搬送方向であるＹ軸方向において排出ローラー対１７と重なる位置に配置されている。本実施形態において、リブ２３は、第１ローラー２１及び第２ローラー２２のうち、第１ローラー２１側から第２ローラー２２側に突出する。すなわち、リブ２３は下側から上側に向けて突出している。  
リブ２３は、最も高い位置に位置する頂部３３に向けて、上流から上る斜面３４を備えている。頂部３３は、媒体搬送方向において、第１ローラー２１と第２ローラー２２のニップ位置Ｎの下流に位置している。
【００４２】
図４に示すように、リブ２３は、排出ローラー対１７としての第１の排出ローラー対１７ａ及び第２の排出ローラー対１７ｂに対して媒体搬送方向と交差する幅方向の一方側である＋Ｘ方向に位置する第１リブ２３ａと、排出ローラー対１７（第１の排出ローラー対１７ａ及び第２の排出ローラー対１７ｂ）に対して幅方向において第１リブ２３ａの反対側である−Ｘ方向に位置する第２リブ２３ｂと、を備えている。  
つまり、第１リブ２３ａ及び第２リブ２３ｂは、第１の排出ローラー対１７ａ及び第２の排出ローラー対１７ｂの双方を挟むように配置されている。
【００４３】
ここで、スキャナー１において読み取られる原稿としての媒体Ｐは、例えば、レシートのような薄い紙や、折り畳まれる等によって、元々折り目や皺等がついているものがある。  
このような媒体Ｐを排出ローラー対１７によって排出すると、媒体の先端や後端がカールする場合がある。媒体の先端や後端がカールしていると、先に排出トレイ５に排出された媒体Ｐに、後続の媒体Ｐが接触して排出口１８で詰まったり、排出トレイ５上に媒体Ｐが整然と積載されない状態となり、スタック性が低下することがある。
【００４４】
本実施形態においては、第１の排出ローラー対１７ａ及び第２の排出ローラー対１７ｂの幅方向の両側に、第１リブ２３ａ及び第２リブ２３ｂが設けられていることにより、図５に示すように、第１の排出ローラー対１７ａ及び第２の排出ローラー対１７ｂによって排出される媒体Ｐに、幅方向の中央寄りが低くなり、端部側が高くなった谷形状の癖を付けることができる  
媒体Ｐを幅方向において山形に撓ませると、媒体Ｐに剛性が付与されて、媒体搬送方向における反りが生じ難くなる。このことによって、媒体Ｐの先端或いは後端のカールを抑え、媒体Ｐが排出トレイ５上に積載された際のスタック性を向上させることができる。
【００４５】
また、第１リブ２３ａ及び第２リブ２３ｂは、一例として、図３及び図６の下図に示す状態を第１状態とすると、第１状態と、図６の上図に示すように、第１状態よりも媒体搬送経路１０から退避した第２状態と、の間で変位可能に構成されている。  
このことによって、上述したように、媒体Ｐに剛性を付与する谷形状にするか、谷形状を形成させずにそのまま排出するかを選択することができる。  
第１リブ２３ａ及び第２リブ２３ｂの第１状態と第２状態との切り換えは、制御部１９が制御する。以下において、第１リブ２３ａ及び第２リブ２３ｂの第１状態と第２状態とを切り換える変位手段２８について説明した後、制御部１９による制御について説明する。
【００４６】
■■■変位手段について■■■
図６の上図及び下図に示す変位手段２８は、幅方向としてのＸ軸方向に進退するようにスライド可能に構成されている。変位手段２８は、不図示の電磁クラッチ等の動作によりＸ軸方向へ移動させることができ、この動作が制御部１９によって制御されている。
【００４７】
図３に示すように、リブ２３としての第１リブ２３ａ及び第２リブ２３ｂは、基体部２４の上部に設けられている。図６の上図及び下図に戻り、変位手段２８は、接触部２９、２９を備えおり、接触部２９、２９は、基体部２４の下部に設けられる被接触部３５、３５に接触する。接触部２９、２９と被接触部３５、３５は、それぞれ−Ｘ方向に向けて下る斜面に形成されている。言い換えると接触部２９、２９は、図６の上図及び下図を正面視した場合に、−Ｘ方向に行くに従って先細りになっている。  
第１リブ２３ａ及び第２リブ２３ｂを備える基体部２４は、引っ張りバネ２７によって、下方（−Ｚ方向）に引っ張られている。
【００４８】
第１リブ２３ａ及び第２リブ２３ｂの第２状態を示す図６の上図において、変位手段２８の＋Ｘ側の端部はＸ１の位置にある。このとき、被接触部３５、３５は、接触部２９、２９の−Ｘ側の先細りの部分で支持されており、第１リブ２３ａ及び第２リブ２３ｂの頂部３３が、第１ローラー２１と第２ローラー２２のニップ位置Ｎよりも高さ方向において下方に位置している。符号Ｚ１で示す一点鎖線は、ニップ位置Ｎの高さ方向の位置を示している。
【００４９】
第１リブ２３ａ及び第２リブ２３ｂを図６の下図に示す第１状態にする場合には、変位手段２８を−Ｘ方向にスライドさせる。図６の下図において、変位手段２８の＋Ｘ側の端部はＸ２の位置にある。変位手段２８が−Ｘ方向にスライドすると、接触部２９、２９の斜面に沿って基体部２４が上方に押し上げられる。以って、第１リブ２３ａ及び第２リブ２３ｂも押し上げられ、頂部３３が、ニップ位置Ｎの高さ方向の位置Ｚ１よりも上方に位置する第１状態となる。尚、基体部２４は、引っ張りバネ２７の引っ張り力に抗して押し上げられている。
【００５０】
第１リブ２３ａ及び第２リブ２３ｂを第１状態から第２状態に戻す場合には、変位手段２８の＋Ｘ方向の端部が図６の上図に示す位置Ｘ１にくるまで＋Ｘ方向にスライドさせる。基体部２４は、引っ張りバネ２７の引っ張り力により、図６の上図に示す位置に速やかに戻る。  
変位手段２８は、位置Ｘ１と位置Ｘ２だけでなく、位置Ｘ１と位置Ｘ２との間の任意の位置に停止させることができるようにすることも可能である。このことにより、第１リブ２３ａ及び第２リブ２３ｂの媒体搬送経路１０への突出量を任意に変えることができる。
【００５１】
■■■制御部による制御について■■■
続いて、制御部１９による制御について説明する。  
本実施形態において、制御部１９は、媒体Ｐの剛性に応じて第１リブ２３ａ及び第２リブ２３ｂの変位を制御する。  
例えば、剛性が低く、カールする虞のある媒体Ｐが排出される場合には、媒体Ｐに搬送方向の剛性を付与する谷形状、或いは山形状を形成した方が良い。したがって、原稿が剛性の低い媒体Ｐや折り目や皺のある媒体Ｐである場合には、第１リブ２３ａ及び第２リブ２３ｂを第１状態（図６の下図）にして、すなわち、媒体搬送経路１０にリブ２３を突出させて、媒体Ｐに剛性を付与する谷形状を形成する。以って、媒体Ｐのスタック性を向上させることができる。
【００５２】
また、剛性が高い媒体Ｐはカールする虞が少ない。また、剛性が高い媒体Ｐに第１リブ２３ａ及び第２リブ２３ｂが接触すると、傷が付く場合がある。したがって、剛性の高い媒体Ｐが原稿である場合には、第１リブ２３ａ及び第２リブ２３ｂを第２状態（図６の上図）にして、第１リブ２３ａ及び第２リブ２３ｂが媒体Ｐに接触することを回避することができる。  
第１リブ２３ａ及び第２リブ２３ｂを第１状態にするか第２状態にするかは、例えば、ユーザーがスキャナードライバーを介して設定した媒体Ｐの種類に応じて、制御部１９が選択する構成とすることができる他、次に説明する様に、制御部１９が、媒体検出部３０の検出結果に基づいて第１リブ２３ａ及び第２リブ２３ｂを制御することも可能である。
【００５３】
＜＜＜媒体検出部による検出結果に基づく制御＞＞＞
図２において、読取部２０の上流に設けられる媒体検出部３０は、前述した様に、受信部３２が出力する出力値によって、搬送される媒体Ｐの重送や折り目や皺等のある媒体Ｐの検出、或いは媒体Ｐの厚みの検出を行うことができる。  
正常に一枚の媒体Ｐが搬送される場合、送信部３１と受信部３２の間を通る媒体Ｐによって超音波が遮られるため、受信部３２が受信する超音波は、媒体Ｐが搬送されていない状態において受信部３２が受信する超音波よりも減衰する。したがって、媒体Ｐ（一枚）が搬送されるときの出力値Ｔ１は、媒体Ｐが搬送されていない状態における出力値Ｔ０よりも低下する。  
このことから、受信部３２からの出力値Ｔが、所定の基準範囲にある際に、正常に搬送される一枚の媒体Ｐであると判定することができる。
【００５４】
二枚の媒体Ｐが重なって搬送される重送状態である場合には、受信部３２が受信する超音波は、媒体Ｐが一枚である場合よりも更に減衰する。したがって、重送であるときの出力値Ｔ２は、一枚の媒体Ｐが搬送されるときの出力値Ｔ１よりも更に低下する。
【００５５】
また、出力値Ｔ１が、普通紙に対して設定された値であるとすると、普通紙よりも厚い厚紙は、受信部３２が受信する超音波は、媒体Ｐが一枚である場合よりも更に減衰する。したがって、一枚の厚紙に対する出力値Ｔ３は、一枚の普通紙が搬送されるときの出力値Ｔ１よりも更に低下する。
【００５６】
また、普通紙よりも薄い薄紙は、送信部３１から発せられる超音波が通過し易いので、受信部３２が受信する超音波は普通紙の場合よりも増加する。したがって、薄紙に対する出力値Ｔ４は、出力値Ｔ１よりも高くなる。また、媒体Ｐに折り目や皺がある場合も、出力値は高くなる傾向がある。
【００５７】
以上のことから、媒体検出部３０による検出結果としての出力値Ｔが所定以上である場合に、媒体Ｐが、薄紙や折り目や皺がある媒体であり、出力値Ｔが所定値より小さい場合に、媒体Ｐが、普通紙や厚紙であると判断することができる。  
本実施形態において、制御部１９は、出力値Ｔが所定以上である場合に、第１リブ２３ａ及び第２リブ２３ｂを第１状態にして、出力値Ｔが所定より小さい場合に、第１リブ２３ａ及び第２リブ２３ｂを第２状態にする。  
このことによって、第１リブ２３ａ及び第２リブ２３ｂの第１状態と第２状態との切り換えを自動で行うことができる。
【００５８】
図７に示すフローチャートを参照して、制御部１９による媒体検出部３０による検出結果に基づく制御の流れについて説明する。  
スキャンが開始されると、ステップＳ１において媒体Ｐの搬送が行われる。続いて、ステップＳ２において、媒体検出部３０によって媒体Ｐが検出される。次に、ステップＳ３において、媒体検出部３０における検出の出力値Ｔが所定以上であるか否かを判断する。
【００５９】
ステップＳ３においてＹＥＳである場合、媒体Ｐは薄紙等のカールし易い媒体であるため、ステップＳ４において、第１リブ２３ａ及び第２リブ２３ｂ（リブ２３）を媒体搬送経路１０に突出させる第１状態にする。  
一方、ステップＳ３においてＮＯである場合、媒体Ｐは普通紙或いは厚紙であるため、ステップＳ５において、第１リブ２３ａ及び第２リブ２３ｂ（リブ２３）を媒体搬送経路１０から退避させる第２状態にする。
【００６０】
ステップＳ４或いはステップＳ５を実行後、ステップＳ６において、読取部２０による媒体Ｐの画像読取を行い、ステップＳ７において、排出ローラー対１７による媒体Ｐの排出が行われる。  
尚、ステップＳ４或いはステップＳ５は、排出ローラー対１７による排出（ステップＳ６）が実行される前に行われていればよく、読取部２０による媒体Ｐの画像読取（ステップＳ５）と並行して行うことも可能である。
【００６１】
＜＜＜読取部による読み取り結果に基づく制御＞＞＞
また、制御部１９は、読取部２０による読み取り結果に基づいて、第１リブ２３ａ及び第２リブ２３ｂを制御することができる。  
薄い媒体Ｐの両面に画像があると、読取部２０による読み取り画像に裏写りが生じる場合がある。したがって、読取部２０による読み取り結果に裏写りがある場合に、搬送される媒体Ｐが薄紙または折り目等のある媒体であると判断することができる。
【００６２】
図８に示すフローチャートを参照して、制御部１９による読取部２０による読み取り結果に基づく制御の流れについて説明する。  
スキャンが開始されると、ステップＳ１１において媒体Ｐの搬送が行われる。媒体Ｐが読取部２０まで搬送されると、ステップＳ１２において、読取部２０による媒体Ｐの画像読取を行う。
【００６３】
ステップＳ１３において、ステップＳ１２で読み取った読み取り画像に裏写りがあるか否かを判断する。  
ステップＳ１３においてＹＥＳ、すなわち、裏写りがある場合、媒体Ｐはカールし易い薄紙であるため、ステップＳ１４において、第１リブ２３ａ及び第２リブ２３ｂ（リブ２３）を媒体搬送経路１０に突出させる第１状態にする。  
一方、ステップＳ１３においてＮＯである場合、媒体Ｐは普通紙や厚紙等の厚みのある媒体であるため、ステップＳ１５において、第１リブ２３ａ及び第２リブ２３ｂ（リブ２３）を媒体搬送経路１０から退避させる第２状態にする。  
ステップＳ１４或いはステップＳ１５を実行後、ステップＳ１６において、排出ローラー対１７による媒体Ｐの排出が行われる。
【００６４】
以上のように、読取部２０による読み取り結果に基づいて、第１リブ２３ａ及び第２リブ２３ｂの第１状態と第２状態との切り換えを自動で行うことができる。  
また、媒体Ｐに折り目や皺がある場合、読み取り画像に折り目や皺の影が写る場合がある。
【００６５】
＜＜＜リブにおける他の構成＞＞＞
第１リブ２３ａと第２リブ２３ｂとの間隔は、一例として、パスポートに対応する幅よりも広い間隔に設定することができる。つまり、第１リブ２３ａと第２リブ２３ｂとは、パスポートに対応する幅の外側に配置する。  
スキャナー１で、パスポート、免許証、保険証等をスキャンする場合がある。パスポート等の手帳タイプの媒体や、カードタイプの免許証や保険証は剛性が高いので、排出時における媒体のカールは生じ難い。
【００６６】
第１リブ２３ａと第２リブ２３ｂとが、パスポートに対応する幅の外側に配置されていることにより、パスポートサイズ、或いはこれより小サイズの媒体は、第１リブ２３ａと第２リブ２３ｂとの間を通るので、小サイズの媒体に対して第１リブ２３ａ及び第２リブ２３ｂによる剛性の付与を行わないようにすることができる。  
尚、排出ローラー対１７は、本実施形態のように、第１の排出ローラー対１７ａ及び第２の排出ローラー対１７ｂの二つのローラー対を備える構成の他、中央領域に一つだけ設ける構成や、幅方向に三以上のローラー対を並べる構成でもよい。  
また、第１リブ２３ａ及び第２リブ２３ｂは、第１状態と第２状態の間で変位する構成の他、媒体搬送経路１０に突出した第１状態で固定された構成とすることも可能である。
【００６７】
［第２実施形態］
本実施形態では、図９を参照してリブの他の例について説明する。  
尚、本実施形態以降の実施形態において、第１実施形態と同じ構成部については、第１実施形態と同じ符号を付して、その説明を省略する。  
図９に示すように、第１の排出ローラー対１７ａと第２の排出ローラー対１７ｂとの間には、第１リブ２３ａ及び第２リブ２３ｂの突出方向である＋Ｚ方向とは逆向き、すなわち−Ｚ方向に突出する第３リブ３６が設けることができる。
【００６８】
第１の排出ローラー対１７ａと第２の排出ローラー対１７ｂとの間に第３リブ３６を備えることにより、図９に示すように媒体Ｐの中央付近を第３リブ３６が上から押さえるので、排出される媒体Ｐの幅方向に対して、より効果的に谷形状の癖を付けることができる。
【００６９】
＜＜＜リブの変更例＞＞＞
リブ２３は、第１実施形態または第２実施形態とは上下逆に、第２ローラー２２側から第１ローラー２１側に突出させることができる。  
一例として、図１０のように、第１の排出ローラー対１７ａ及び第２の排出ローラー対１７ｂの両側に設けられる第１リブ４０ａ及び第２リブ４０ｂは、媒体搬送経路１０に対して上側から突出させ、第１の排出ローラー対１７ａと第２の排出ローラー対１７ｂの間に設けられる第３リブ４１は、媒体搬送経路１０に対して下側から突出させるように構成することができる。  
第１リブ４０ａ、第２リブ４０ｂ、及び第３リブ４１をこのように配置することにより、媒体Ｐの幅方向における中央付近が高くなり、端部側が低くなる山形状の癖を、媒体Ｐに付けることができる。山形状の癖によって媒体Ｐに剛性が付与されるので、排出された媒体Ｐのスタック性が向上する。
【００７０】
［第３実施形態］
図１１を参照して、リブの更に他の例について説明する。  
本実施形態において、第１リブ５１ａ及び第２リブ５１ｂは、第１ローラー２１の回転軸である第１回転軸２５に設けられている。  
より具体的には、第１リブ５１ａ及び第２リブ５１ｂは、第１ローラー２１と同軸、すなわち第１回転軸２５に設けられる円盤形状に形成されている。第１リブ５１ａは、第１ローラー２１ａに対して＋Ｘ方向に配置され、第２リブ５１ｂは、第１ローラー２１ｂに対して−Ｘ方向に配置されている。つまり、第１リブ５１ａ及び第２リブ５１ｂは、第１ローラー２１ａ及び第１ローラー２１ｂを挟むように配置されている。  
そして、第１リブ５１ａ及び第２リブ５１ｂは、第１ローラー２１の直径Ｒ１よりも大きい直径Ｒ２に形成されている。
【００７１】
第１リブ５１ａ及び第２リブ５１ｂの直径Ｒ２が、第１ローラー２１の直径Ｒ１よりも大きいので、第１ローラー２１と第２ローラー２２とがニップした状態において、第１リブ５１ａ及び第２リブ５１ｂは、第１実施形態における図４と同様に、第１ローラー２１側から第２ローラー２２側に突出した状態となる。  
このように、第１リブ５１ａ及び第２リブ５１ｂを第１ローラー２１の第１回転軸２５に設けることにより、構成簡単且つ省スペースに第１リブ５１ａ及び第２リブ５１ｂを配置することができる。
【００７２】
図示を省略するが、図４における第２ローラー２２ａ及び第２ローラー２２ｂの回転軸である第２回転軸２６に、第２ローラー２２ａ及び第２ローラー２２ｂの直径よりも大きい直径を有する円盤状の第３リブを設けることにより、図９に示す第２実施形態に対応する構成とすることができる。  
また、第２回転軸２６に第１リブ及び第２リブを設け、第１回転軸に第３リブを設けることにより、図１０に示す第２実施形態の変更例に対応する構成とすることができる。
【００７３】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００７４】
１…ドキュメントスキャナー（画像読取装置）、２…筐体、３…下部ユニット、４…上部ユニット、５…排出トレイ、６…給送口、７…操作パネル、８…第１補助ペーパーサポート、９…第２補助ペーパーサポート、１０…媒体搬送経路、１１…媒体載置部、１２ａ…第２エッジガイド、１２ｂ…第１エッジガイド、１３ａ…ガイド面、１３ｂ…ガイド面、１４…給送ローラー、１５…分離ローラー、１６…搬送ローラー対、１７…排出ローラー対、１８…排出口、１９…制御部、２０…読取部、２０ａ…上部読取センサー、２０ｂ…下部読取センサー、２１、２１ａ、２１ｂ…第１ローラー、２２、２２ａ、２２ｂ…第２ローラー、２３…リブ、２３ａ…第１リブ、２３ｂ…第２リブ、２４…基体部、２５…第１回転軸、２６…第２回転軸、２７…引っ張りバネ、２８…変位手段、２９…接触部、３０…媒体検出部、３１…送信部、３２…受信部、３３…頂部、３４…斜面、３５…被接触部、３６…第３リブ、４０ａ…第１リブ、４０ｂ…第２リブ、４１…第３リブ、Ｐ…媒体
【図１】
2020019594.tif 000003
【図２】
2020019594.tif 000004
【図３】
2020019594.tif 000005
【図４】
2020019594.tif 000006
【図５】
2020019594.tif 000007
【図６】
2020019594.tif 000008
【図７】
2020019594.tif 000009
【図８】
2020019594.tif 000010
【図９】
2020019594.tif 000011
【図１０】
2020019594.tif 000012
【図１１】
2020019594.tif 000013